(57)【要約】【課題】本発明は、生体に何等のストレスを与えることなく、その呼吸データを非接触で確実に得ることができ、医療診断等に使用して好適な赤外線式呼吸検知処理装置を提供するものである。【解決手段】本発明の赤外線式呼吸検知処理装置１は、生体の頭蓋の斜め上方に配置されるとともに、生体の頭蓋を含む領域からの赤外線を入射する赤外線視野角θ１を調整可能なレンズ６と、このレンズ６を経て入射する生体の頭蓋を含む領域からの赤外線により生体の頭蓋を含む領域からの赤外線量を検知し、赤外線量データを出力する赤外線検出素子７と、を有する赤外線検知手段３と、この赤外線検知手段３から出力される赤外線量データを低周波帯域処理して生体の呼吸データとする低周波帯域処理フィルタ１２と、低周波帯域処理フィルタ１２から出力される生体の呼吸データを表示する表示手段と、を有する呼吸解析処理手段４と、を設けたものである。【選択図】図２
2008264237.tif 000002
【特許請求の範囲】
【請求項１】
生体の頭蓋の斜め上方に配置されて、前記生体の頭蓋を含む領域からの赤外線量を検知し、赤外線量データを出力する赤外線検知手段と、
この赤外線検知手段から出力される赤外線量データを低周波帯域処理して前記生体の呼吸データを生成する呼吸解析処理手段と、
を有することを特徴とする赤外線式呼吸検知処理装置。
【請求項２】
生体の頭蓋の斜め上方に配置されるとともに、前記生体の頭蓋を含む領域からの赤外線を入射する赤外線視野角を調整可能なレンズと、このレンズを経て入射する生体の頭蓋を含む領域からの赤外線により前記生体の頭蓋を含む領域からの赤外線量を検知し、赤外線量データを出力する赤外線検出素子と、を有する赤外線検知手段と、
この赤外線検知手段から出力される赤外線量データを低周波帯域処理して前記生体の呼吸データとする低周波帯域処理フィルタと、低周波帯域処理フィルタから出力される前記生体の呼吸データを表示する表示手段と、を有する呼吸解析処理手段と、
を有することを特徴とする赤外線式呼吸検知処理装置。
【請求項３】
生体の頭蓋の斜め上方に配置されるとともに、前記生体の頭蓋を含む領域からの赤外線を入射する赤外線視野角を調整可能なレンズと、このレンズを経て入射する生体の頭蓋を含む領域からの赤外線により前記生体の頭蓋を含む領域からの赤外線量を検知し、赤外線量データを出力する赤外線検出素子と、を有する赤外線検知手段と、
この赤外線検知手段から出力される赤外線量データを低周波帯域処理して前記生体の呼吸データとする低周波帯域処理フィルタと、この低周波帯域処理フィルタから出力される前記生体の呼吸データを表示する表示手段と、この低周波帯域処理フィルタから出力される前記生体の呼吸データを記憶する記憶手段と、を有する呼吸解析処理手段と、
を有することを特徴とする赤外線式呼吸検知処理装置。
【請求項４】
生体の頭蓋の斜め上方に配置され、前記生体の頭蓋を含む領域からの赤外線量を検知して赤外線量データを出力する一方の赤外線検知手段と、一方の赤外線検知手段とは赤外線視野が重複しない状態に配置され、前記生体を含む領域からの赤外線量を検知して赤外線量データを出力する他方の赤外線検知手段と、
前記各赤外線検知手段から出力される各赤外線量データに対する低周波帯域処理及び低周波帯域処理された各呼吸データの比較によるノイズ除去処理を行ない、前記生体の呼吸データを生成する呼吸解析処理手段と、
を有することを特徴とする赤外線式呼吸検知処理装置。
【請求項５】
赤外線を入射する赤外線視野角を調整可能なレンズと、このレンズを経て入射する赤外線により赤外線量を検知し、赤外線量データを出力する赤外線検出素子と、を有し、生体の頭蓋の斜め上方に配置され、前記生体の頭蓋を含む領域からの赤外線量を検知して赤外線量データを出力する一方の赤外線検知手段と、
赤外線を入射する赤外線視野角を調整可能なレンズと、このレンズを経て入射する赤外線により赤外線量を検知し、赤外線量データを出力する赤外線検出素子と、を有し、一方の赤外線検知手段とは赤外線視野が重複しない状態に配置され、前記生体を含む領域からの赤外線量を検知して赤外線量データを出力する他方の赤外線検知手段と、
前記各赤外線検知手段から出力される各赤外線量データを低周波帯域処理して前記生体の呼吸データとする２個の低周波帯域処理フィルタと、低周波帯域処理された各呼吸データの比較によるノイズ除去処理を行なう差動アンプと、ノイズ除去処理された各呼吸データを表示する表示手段と、を有する呼吸解析処理手段と、
を有することを特徴とする赤外線式呼吸検知処理装置。
【請求項６】
赤外線を入射する赤外線視野角を調整可能なレンズと、このレンズを経て入射する赤外線により赤外線量を検知し、赤外線量データを出力する赤外線検出素子と、を有し、生体の頭蓋の斜め上方に配置され、前記生体の頭蓋を含む領域からの赤外線量を検知して赤外線量データを出力する一方の赤外線検知手段と、
赤外線を入射する赤外線視野角を調整可能なレンズと、このレンズを経て入射する赤外線により赤外線量を検知し、赤外線量データを出力する赤外線検出素子と、を有し、一方の赤外線検知手段とは赤外線視野が重複しない状態に配置され、前記生体を含む領域からの赤外線量を検知して赤外線量データを出力する他方の赤外線検知手段と、
前記各赤外線検知手段から出力される各赤外線量データを低周波帯域処理して前記生体の呼吸データとする２個の低周波帯域処理フィルタと、低周波帯域処理された各呼吸データの比較によるノイズ除去処理を行なう差動アンプと、ノイズ除去処理された呼吸データを表示する表示手段と、前記呼吸データを記憶する記憶手段と、を有する呼吸解析処理手段と、
を有することを特徴とする赤外線式呼吸検知処理装置。
【請求項７】
生体の頭蓋の斜め上方で赤外線視野が重複する状態に各々配置されるとともに、前記生体の頭蓋を含む領域からの赤外線量データを各々出力する２個の赤外線検知手段と、
前記各赤外線検知手段から出力される各赤外線量データに対する低周波帯域処理及び低周波帯域処理された各呼吸データの比較によるノイズ除去処理を行ない、前記生体の呼吸データを生成する呼吸解析処理手段と、
を有することを特徴とする赤外線式呼吸検知処理装置。
【請求項８】
生体の頭蓋の斜め上方で赤外線視野が重複する状態に各々配置されるとともに、前記生体の頭蓋を含み、かつ、赤外線視野が重複しない領域からの各赤外線を入射する赤外線視野角を調整可能なレンズと、このレンズを経て入射する生体の頭蓋を含む領域からの赤外線により前記生体の頭蓋を含む領域からの赤外線量を検知し、赤外線量データを出力する赤外線検出素子と、を有する２個の赤外線検知手段と、
前記各赤外線検知手段から出力される各赤外線量データを低周波帯域処理して前記生体の呼吸データとする２個の低周波帯域処理フィルタと、低周波帯域処理された各呼吸データの比較によるノイズ除去処理を行なう差動アンプと、ノイズ除去処理された各呼吸データを表示する表示手段と、を有する呼吸解析処理手段と、を有する呼吸解析処理手段と、
を有することを特徴とする赤外線式呼吸検知処理装置。
【請求項９】
生体の頭蓋の斜め上方で赤外線視野が重複する状態に各々配置されるとともに、前記生体の頭蓋を含み、かつ、赤外線視野が重複しない領域からの各赤外線を入射する赤外線視野角を調整可能なレンズと、このレンズを経て入射する生体の頭蓋を含む領域からの赤外線により前記生体の頭蓋を含む領域からの赤外線量を検知し、赤外線量データを出力する赤外線検出素子と、を有する２個の赤外線検知手段と、
前記各赤外線検知手段から出力される各赤外線量データを低周波帯域処理して前記生体の呼吸データとする２個の低周波帯域処理フィルタと、低周波帯域処理された各呼吸データの比較によるノイズ除去処理を行なう差動アンプと、ノイズ除去処理された呼吸データを表示する表示手段と、前記呼吸データを記憶する記憶手段と、を有する呼吸解析処理手段と、
を有することを特徴とする赤外線式呼吸検知処理装置。
【発明の詳細な説明】
【技術分野】
【０００１】
本発明は、赤外線式呼吸検知処理装置に関し、詳しくは、特に生体の頭蓋近辺部位から生体の呼吸データを収集し医療診断に供することができ、問診等に使用して好適な赤外線式呼吸検知処理装置に関するものである。
【背景技術】
【０００２】
例えば、医療現場において、生体の診断を行なう場合において、生体の呼吸を検知する手段としては、例えば生体の口又は鼻等に直接又はその近傍に呼吸センサ（流量センサ）を配置し、この呼吸センサの出力信号により当該生体の呼吸データを生成するようにしていた。
【０００３】
このような手段の場合、当該生体の呼吸データを確実に得られるものの、口又は鼻等に呼吸センサを配置するものであるため、特に生体の睡眠時においてストレスを与えてしまうという問題があった。
【０００４】
特許文献１には、鼻や口の呼吸データを収集する呼吸音センサを口蓋部に取り付けるように構成した呼吸データ収集システムが提案されている。この特許文献１の場合も、口蓋部に呼吸音センサを取り付けるものであるため、やはり生体の睡眠時においてストレスを与えてしまう。
【特許文献１】特開２００５−１６０６４４号公報
【発明の開示】
【発明が解決しようとする課題】
【０００５】
本発明が解決しようとする問題点は、生体に何等のストレスを与えることなく、その呼吸データを非接触で確実に得ることができ、医療診断等に使用して好適な赤外線式呼吸検知処理装置が存在しない点である。
【課題を解決するための手段】
【０００６】
本発明に係る赤外線式呼吸検知処理装置は、生体の頭蓋の斜め上方に配置され、前記生体の頭蓋を含む領域からの赤外線量を検知し、赤外線量データを出力する赤外線検知手段と、この赤外線検知手段から出力される赤外線量データを低周波帯域処理して前記生体の呼吸データを生成する呼吸解析処理手段と、を有することを最も主要な特徴とする。
【発明の効果】
【０００７】
請求項１乃至３記載の発明によれば、生体の呼吸に応じて変化する頭蓋を含む領域からの赤外線に基づく赤外線量データを赤外線検知手段により非接触で検知し、更に赤外線量データに対応した呼吸データを前記呼吸解析処理手段により確実に得て表示部に表示したり、記憶部に記憶保持することができ、生体に何等のストレスを与えることなく、その呼吸データを非接触で確実に得ることができ、医療診断等に使用して好適な赤外線式呼吸検知処理装置を提供することができる。
【０００８】
請求項４乃至６記載の発明によれば、生体の呼吸に応じて変化する頭蓋を含む領域からの赤外線及び生体の呼吸に応じて変化するこの生体の胸部、腹部を含む領域からの赤外線に基づく赤外線量データを二つの赤外線検知手段により非接触非接触で検知し、更に赤外線量データに対応した呼吸データを呼吸解析処理手段により確実に得て表示部に表示したり、記憶部に記憶保持することができ、生体に何等のストレスを与えることなく、その呼吸データを非接触で確実に得ることができ、医療診断等に使用して好適な赤外線式呼吸検知処理装置を提供することができる。また、呼吸解析処理手段を差動アンプを含む構成とすることにより、生体の周辺の空気の対流等によるノイズを除去することができ、一層精度の高い呼吸データを得ることができる赤外線式呼吸検知処理装置を提供することができる。
【０００９】
請求項７乃至９記載の発明によれば、生体の呼吸に応じて変化する頭蓋を含み、かつ、赤外線視野が重複する二つの領域からの赤外線に基づく赤外線量データを二つの赤外線検知手段により非接触で検知し、更に赤外線量データに対応した呼吸データを呼吸解析処理手段により確実に得て表示部に表示したり、記憶部に記憶保持することができ、生体に何等のストレスを与えることなく、その呼吸データを非接触で確実に得ることができ、医療診断等に使用して好適な赤外線式呼吸検知処理装置を提供することができる。また、呼吸解析処理手段を差動アンプを含む構成とすることにより、生体の周辺の空気の対流等によるノイズを除去することができ、一層精度の高い呼吸データを得ることができる赤外線式呼吸検知処理装置を提供することができる。
【発明を実施するための最良の形態】
【００１０】
本発明は、生体に何等のストレスを与えることなく、その呼吸データを非接触で確実に得ることができ、医療診断等に使用して好適な赤外線式呼吸検知処理装置を実現、提供するという目的を、生体の頭蓋の斜め上方に配置されるとともに、前記生体の頭蓋を含む領域からの赤外線を入射する赤外線視野角を調整可能なレンズと、このレンズを経て入射する生体の頭蓋を含む領域からの赤外線により前記生体の頭蓋を含む領域からの赤外線量を検知し、赤外線量データを出力する赤外線検出素子と、を有する赤外線検知手段と、この赤外線検知手段から出力される赤外線量データを低周波帯域処理して前記生体の呼吸データとする低周波帯域処理フィルタと、低周波帯域処理フィルタから出力される前記生体の呼吸データを表示する表示手段と、を有する呼吸解析処理手段と、を有する構成により実現した。
【実施例】
【００１１】
以下に、本発明の実施例に係る赤外線式呼吸検知処理装置について図面を参照して詳細に説明する。
（実施例１）
図１乃至図３を参照して本発明の実施例１に係る赤外線式呼吸検知処理装置１について説明する。
【００１２】
本実施例１に係る赤外線式呼吸検知処理装置１は、図１に示すように、例えば寝台（又は寝床）２上で就寝する生体Ｍの頭蓋を含む領域からの赤外線量を検知し、赤外線量データを出力する赤外線検知手段３と、前記赤外線量データを基に前記生体Ｍの呼吸データを生成する呼吸解析処理手段４と、を有している。
【００１３】
前記赤外線検知手段３及び呼吸解析処理手段４について、図２を参照して具体的に説明する。
【００１４】
前記赤外線検知手段３は、例えば支持台５上に設置され前記生体Ｍの頭蓋の斜め上方において生体Ｍと非接触で、かつ、生体Ｍに向けて配置され、生体Ｍの頭蓋を含む領域からの赤外線を入射する赤外線視野角θ１をレンズ移動により調整可能なレンズ６と、このレンズ６を経て入射する生体Ｍの頭蓋を含む領域からの赤外線により前記生体Ｍの頭蓋を含む領域からの赤外線量を検知し、赤外線量データを出力する赤外線検出素子７と、を具備している。
【００１５】
前記赤外線検出素子７としては、例えば、ＰｂＳｅ等の量子型赤外線検出器やサーモパイル等の熱型赤外線検出器を使用することができる。また、前記赤外線検出素子７を支持台５上に設置するのは、前記寝台（又は寝床）２の振動によるノイズの影響を防ぐためである。
【００１６】
前記呼吸解析処理手段４は、前記赤外線検出素子７からの赤外線量データを増幅する増幅器１１と、増幅された赤外線量データを例えば０．０２〜１Ｈｚ程度の帯域幅で低周波帯域処理して前記生体Ｍの呼吸データとする低周波帯域処理フィルタ１２と、この低周波帯域処理フィルタ１２から出力される低周波帯域処理された前記生体Ｍの呼吸データを取り込み表示手段である液晶ディスプレイ等の表示部１４に図３に示す態様で表示させる表示制御部１３と、前記生体Ｍの呼吸データを取り込み例えばＲＡＭ等の記憶部１６に記憶させる記憶制御部１５と、を有している。
【００１７】
前記記憶部１６としては、この赤外線式呼吸検知処理装置１専用に構成したハードディスク等の他、ＣＤ型記憶媒体、ＤＶＤ型記憶媒体、カード型記憶媒体等、種々の手段を採用でき、これらにコンピュータ読み取り可能に生体Ｍの呼吸データを記憶することで、図示しないコンピュータ装置を使用して多数の生体Ｍの呼吸データを管理するようにすることも可能である。
【００１８】
本実施例１に係る赤外線式呼吸検知処理装置１によれば、上述した構成としたことにより、その生体Ｍの呼吸に応じて変化する頭蓋を含む領域からの赤外線に基づく赤外線量データを前記赤外線検知手段３により非接触で検知し、更に赤外線量データに対応した呼吸データを前記呼吸解析処理手段４により確実に得て表示部１４に表示したり、記憶部１６に記憶保持することができる。
【００１９】
すなわち、従来例のように生体Ｍの口等の近辺に呼吸センサを設置する必要が無く、従って、生体Ｍに何等のストレスを与えることなく、その呼吸データを確実に得て、医療診断等に活用できる赤外線式呼吸検知処理装置１を提供することができる。
【００２０】
（実施例２）
図４、図５を参照して本発明の実施例２に係る赤外線式呼吸検知処理装置１Ａについて説明する。
【００２１】
本実施例２に係る赤外線式呼吸検知処理装置１Ａは、図４に示すように、例えば寝台（又は寝床）２上で就寝する生体Ｍの頭蓋を含む領域からの赤外線量を検知し、赤外線量データを出力する一方の赤外線検知手段３と、前記生体Ｍを含む領域、例えば生体Ｍの胸部、腹部を含む領域からの赤外線量を検知して赤外線量データを出力する他方の赤外線検知手段３Ａと、前記両赤外線検知手段３、３Ａからの赤外線量データを基に前記生体Ｍの呼吸データを生成する呼吸解析処理手段４Ａと、を有している。
【００２２】
すなわち、本実施例２に係る赤外線式呼吸検知処理装置１Ａは、前記両赤外線検知手段３、３Ａによる赤外線視野が重複しないように構成している。
前記一方の赤外線検知手段３は、実施例１の場合と同様、支持台５上に設置され前記生体Ｍの頭蓋の斜め上方において生体Ｍと非接触で、かつ、生体Ｍに向けて配置され、生体Ｍの頭蓋を含む領域からの赤外線を入射する赤外線視野角θ１をレンズ移動により調整可能なレンズ６と、このレンズ６を経て入射する生体Ｍの頭蓋を含む領域からの赤外線により前記生体Ｍの頭蓋を含む領域からの赤外線量を検知し、赤外線量データを出力する赤外線検出素子７と、を具備している。
【００２３】
前記他方の赤外線検知手段３は、支持台５Ａ上に設置され前記生体Ｍの例えば腹部の斜め上方において生体Ｍと非接触で、かつ、生体Ｍに向けて配置され、生体Ｍの胸部、腹部を含む領域からの赤外線を入射する赤外線視野角θ２をレンズ移動により調整可能なレンズ６と、このレンズ６を経て入射する赤外線により赤外線量を検知し、赤外線量データを出力する赤外線検出素子７と、を具備している。
【００２４】
前記呼吸解析処理手段４Ａは、前記各赤外線検出素子７、７からの赤外線量データを増幅する各増幅器１１、１１と、増幅された赤外線量データを例えば０．０２〜１Ｈｚ程度の帯域幅で低周波帯域処理して前記生体Ｍの呼吸データとする各低周波帯域処理フィルタ１２、１２と、各低周波帯域処理フィルタ１２、１２から出力される低周波帯域処理された前記生体Ｍの呼吸データを入力してこれらの比較演算処理を行ない生体Ｍの周辺の空気の対流等によるノイズを除去した呼吸データを出力する差動アンプ２２と、この差動アンプ２２からの呼吸データを取り込み、液晶ディスプレイ等の表示部１４に既述した場合と同様図３に示す態様で表示させる表示制御部１３と、前記生体Ｍの呼吸データを取り込み既述した場合と例えばＲＡＭ等の記憶部１６に記憶させる記憶制御部１５と、を有している。この場合の記憶部１６も、前記実施例１の場合と同様な構成とすることができる。
本実施例２に係る赤外線式呼吸検知処理装置１Ａによれば、上述した構成としたことにより、生体Ｍの呼吸に応じて変化する頭蓋を含む領域からの赤外線及び生体Ｍの呼吸に応じて変化するこの生体Ｍの胸部、腹部を含む領域からの赤外線に基づく赤外線量データを前記二つの赤外線検知手段３、３Ａにより非接触非接触で検知し、更に赤外線量データに対応した呼吸データを前記呼吸解析処理手段４Ａにより確実に得て表示部１４に表示したり、記憶部１６に記憶保持することができる。
【００２５】
すなわち、本実施例２の場合も、従来例のように生体Ｍの口等の近辺に呼吸センサを設置する必要が無く、従って、生体Ｍに何等のストレスを与えることなく、その呼吸データを確実に得て、医療診断等に活用できる赤外線式呼吸検知処理装置１Ａを提供することができる。
【００２６】
また、本実施例２によれば、前記差動アンプ２２を用いて赤外線検知手段３、３Ａからの各赤外線量データに対応した各呼吸データの比較演算処理により生体Ｍの周辺の空気の対流等によるノイズを除去する構成としているので、一層精度の高い呼吸データを得ることができる赤外線式呼吸検知処理装置１Ａを提供することができる。
【００２７】
（実施例３）
図６、図７を参照して本発明の実施例３に係る赤外線式呼吸検知処理装置１Ｂについて説明する。
【００２８】
本実施例３に係る赤外線式呼吸検知処理装置１Ｂは、図６に示すように、例えば寝台（又は寝床）２上で就寝する生体Ｍの頭蓋を含む領域からの赤外線量を検知し、赤外線量データを出力する一方の赤外線検知手段３と、寝台（又は寝床）２上で就寝する生体Ｍの頭蓋を含み、かつ、一方の赤外線検知手段３と赤外線視野が重複する領域からの赤外線量を検知して赤外線量データを出力する他方の赤外線検知手段３Ｂと、前記両赤外線検知手段３、３Ｂからの赤外線量データを基に前記生体Ｍの呼吸データを生成する呼吸解析処理手段４Ｂと、を有している。
【００２９】
前記一方の赤外線検知手段３は、実施例１の場合と同様、支持台５上に設置され前記生体Ｍの頭蓋の斜め上方において生体Ｍと非接触で、かつ、生体Ｍに向けて配置され、生体Ｍの頭蓋を含む領域からの赤外線を入射する赤外線視野角θ１をレンズ移動により調整可能なレンズ６と、このレンズ６を経て入射する生体Ｍの頭蓋を含む領域からの赤外線により前記生体Ｍの頭蓋を含む領域からの赤外線量を検知し、赤外線量データを出力する赤外線検出素子７と、を具備している。
【００３０】
前記他方の赤外線検知手段３Ｂは、前記支持台５よりも大きい寸法の支持台５Ｂ上に設置され前記生体Ｍの頭蓋の斜め上方において生体Ｍと非接触で、かつ、生体Ｍに向けて配置され、生体Ｍの頭蓋を含む領域からの赤外線を入射する赤外線視野角θ３をレンズ移動により調整可能なレンズ６と、このレンズ６を経て入射する生体Ｍの頭蓋を含む領域からの赤外線により前記生体Ｍの頭蓋を含む領域からの赤外線量を検知し、赤外線量データを出力する赤外線検出素子７と、を具備している。
【００３１】
前記呼吸解析処理手段４Ｂは、実施例２の場合と同様、前記各赤外線検出素子７、７からの赤外線量データを増幅する各増幅器１１、１１と、増幅された赤外線量データを例えば０．０２〜１Ｈｚ程度の帯域幅で低周波帯域処理して前記生体Ｍの呼吸データとする各低周波帯域処理フィルタ１２、１２と、各低周波帯域処理フィルタ１２、１２から出力される低周波帯域処理された前記生体Ｍの呼吸データを入力してこれらの比較演算処理を行ない生体Ｍの周辺の空気の対流等によるノイズを除去した呼吸データを出力する差動アンプ２２と、この差動アンプ２２からの呼吸データを取り込み、液晶ディスプレイ等の表示部１４に既述した場合と同様図３に示す態様で表示させる表示制御部１３と、前記生体Ｍの呼吸データを取り込み既述した場合と例えばＲＡＭ等の記憶部１６に記憶させる記憶制御部１５と、を有している。この場合の記憶部１６も、前記実施例１の場合と同様な構成とすることができる。
【００３２】
実施例３に係る赤外線式呼吸検知処理装置１Ｂによれば、上述した構成としたことにより、生体Ｍの呼吸に応じて変化する頭蓋を含み、かつ、赤外線視野が重複する二つの領域からの赤外線に基づく赤外線量データを前記二つの赤外線検知手段３、３Ｂにより非接触で検知し、更に赤外線量データに対応した呼吸データを前記呼吸解析処理手段４Ｂにより確実に得て表示部１４に表示したり、記憶部１６に記憶保持することができる。
すなわち、本実施例３の場合も、従来例のように生体Ｍの口等の近辺に呼吸センサを設置する必要が無く、従って、生体Ｍに何等のストレスを与えることなく、その呼吸データを確実に得て、医療診断等に活用できる赤外線式呼吸検知処理装置１Ｂを提供することができる。
【００３３】
また、本実施例３によれば、実施例２の場合と同様、前記差動アンプ２２を用いて赤外線検知手段３、３Ｂからの各赤外線量データに対応した各呼吸データの比較演算処理により生体Ｍの周辺の空気の対流等によるノイズを除去する構成としているので、一層精度の高い呼吸データを得ることができる赤外線式呼吸検知処理装置１Ｂを提供することができる。
【００３４】
なお、前記赤外線式呼吸検知処理装置１、１Ａ、１Ｂにおいて、必要に応じて、プリンタや、プロッタ等を接続し、呼吸データを紙媒体上に出力する構成としても良い。
【産業上の利用可能性】
【００３５】
本発明は、生体の就寝時における睡眠時無呼吸症候群の診断（ＳＡＳ診断）等に応用可能である。
【図面の簡単な説明】
【００３６】
【図１】本発明の実施例１に係る赤外線式呼吸検知処理装置の概略構成図である。
【図２】本実施例１に係る赤外線式呼吸検知処理装置における呼吸解析処理手段の構成を示すブロック図である。
【図３】本実施例に係る赤外線式呼吸検知処理装置による呼吸データの表示例を示す図である。
【図４】本発明の実施例２に係る赤外線式呼吸検知処理装置の概略構成図である。
【図５】本実施例２に係る赤外線式呼吸検知処理装置における呼吸解析処理手段の構成を示すブロック図である。
【図６】本発明の実施例３に係る赤外線式呼吸検知処理装置の概略構成図である。
【図７】本実施例３に係る赤外線式呼吸検知処理装置における呼吸解析処理手段の構成を示すブロック図である。
【符号の説明】
【００３７】
１    赤外線式呼吸検知処理装置
１Ａ  赤外線式呼吸検知処理装置
１Ｂ  赤外線式呼吸検知処理装置
２    寝台
３    赤外線検知手段
３Ａ  赤外線検知手段
３Ｂ  赤外線検知手段
４    呼吸解析処理手段
４Ａ  呼吸解析処理手段
４Ｂ  呼吸解析処理手段
５    支持台
５Ａ  支持台
５Ｂ  支持台
６    レンズ
７    赤外線検出素子
１１    増幅器
１２    低周波帯域処理フィルタ
１３    表示制御部
１４    表示部
１５    記憶制御部
１６    記憶部
２２    差動アンプ
θ１    赤外線視野角
θ２    赤外線視野角
θ３    赤外線視野角
【図１】
2008264237.tif 000003
【図２】
2008264237.tif 000004
【図３】
2008264237.tif 000005
【図４】
2008264237.tif 000006
【図５】
2008264237.tif 000007
【図６】
2008264237.tif 000008
【図７】
2008264237.tif 000009